(57)【特許請求の範囲】
【請求項１】
被加工材に対して、両端を閉じた線分からなる円形を除く任意形状の部材を加工するレーザ加工装置に搭載されるレンズにおいて、
凸型シリンドリカルレンズのシリンドリカル面の頂点を結んだ線が前記任意形状と同一の形となるように、前記凸型シリンドリカルレンズを閉路形成されるように成形されるとともに、前記任意形状と同一の形となる中空部と、前記任意形状の部材の所定部位の曲率が、当該所定部位以外の曲率に比して高い場合に際して所定部位の領域に対して前記レーザ加工装置の光源からの光を導光しないよう付加した遮光材と、を有することを特徴とするレンズ。
【請求項２】
被加工材に対して、光源から照射した光によって両端を閉じた線分からなる円形を除く任意形状の部材を加工するレーザ加工装置において、
凸型シリンドリカルレンズのシリンドリカル面の頂点を結んだ線が前記任意形状と同一の形となるように、前記凸型シリンドリカルレンズを閉路形成されるように成形されるとともに、前記任意形状と同一の形となる中空部と、前記任意形状の部材の所定部位の曲率が、当該所定部位以外の曲率に比して高い場合に際して所定部位の領域に対して前記光源からの光を導光しないよう付加した遮光材と、を有するレンズを搭載していることを特徴とするレーザ加工装置。
【請求項３】
前記レンズは、
前記凸型シリンドリカルレンズのシリンドリカル面で形成される前記レーザ加工装置の光源から照射される光を入射する入射面部と、
前記光源から照射される光を出射する出射面部と、
前記入射面部及び前記出射面部の外側面に位置する外側面部と、
前記入射面部及び前記出射面部の内側面に位置する中空面部を備える中空レンズであることを特徴とする請求項２記載のレーザ加工装置。
【請求項４】
前記レンズは、前記中空レンズの中空部分に、遮光板を設けることを特徴とする請求項３記載のレーザ加工装置。
【請求項５】
前記レーザ加工装置は、前記光源の光を前記レンズに対して照射するに際し、前記中空レンズの中空部分には光を照射しないように制御することを特徴とする請求項３記載のレーザ加工装置。
【請求項６】
前記遮光材は、前記任意形状の部材の所定部位の曲率が、当該所定部位以外の曲率に比して高い場合に際し、前記入射面部または前記出射面部における前記外側面部側に位置する前記所定部位の領域に対して、前記光源から光が導光しないよう前記レンズに付加したものであることを特徴とする請求項３から請求項４のいずれか１項記載のレーザ加工装置。
【請求項７】
前記レーザ加工装置は、被加工材に対して、前記任意形状の部材を切断することを特徴とする請求項２から請求項６のいずれか１項記載のレーザ加工装置。
【発明の詳細な説明】
【技術分野】
【０００１】
本発明は、被加工材に対してレーザ加工するためのレンズおよびそのレンズを搭載したレーザ加工装置に関するものであって、特に、被加工材に対して、閉曲線からなる任意形状の部材を加工するためのレンズおよびそのレンズを搭載したレーザ加工装置に関するものである。
【背景技術】
【０００２】
従来、ガラス基板等のような被加工材に対して、レーザ光を照射することにより任意形状の部材を加工するためのレーザ加工装置が知られている。
【０００３】
例えば、レーザ加工装置として、シリンドリカルレンズを移動させる移動機構や被加工材を載せるステージを移動させる移動機構を用いることにより、所望の形状に加工領域を形成する技術が、特許文献１または２に提案されている。
【先行技術文献】
【特許文献】
【０００４】
【特許文献１】特開２０１０−１５８７１５号公報
【特許文献２】特開２０１０−２８４７１２号公報
【発明の概要】
【発明が解決しようとする課題】
【０００５】
上述したレーザ加工装置は、例えば、加工形状が円形、丸みを帯びた矩形、丸みを帯びた三角形のような閉曲線からなる任意形状を切断する場合、レンズそのものを移動させる移動機構や、被加工材を載せたステージ（支持台）そのものを移動する移動機構を制御する必要がある。
【０００６】
例えば、円形の部材を切断する場合、以下のような手法を用いていた。図２は、従来技術の実施形態による両凸レンズ７Ｂを用いてレーザ加工を行う場合を示した図である。図２（ａ）に示すように、両凸レンズ７Ｂを透過するレーザ光により、被加工材５に円形の部材を切断することができる。その際、レーザ加工装置は、被加工材５から円形の部材を切断するために、図２（ｂ）に示すように、両凸レンズ７Ｂを円形に移動させることにより、被加工材５に対して、円形を描くようにレーザ光を照射しなければならない。または、レーザ加工装置は、両凸レンズ７Ｂを固定し、被加工材５を載せたステージそのものを円形に移動させることにより、円形の部材を切断する。
【０００７】
そのため、移動制御やレーザ加工に要する時間がかかり、かつレンズの移動制御装置もしくは被加工材の移動制御装置を搭載する必要が生じてしまい、装置全体が大規模なものになるという問題があった。
【０００８】
また、両凸レンズ以外に、図３に示すカマボコ形状をした凸型シリンドリカルレンズを用いた場合も同様である。図４は、従来技術の実施形態による凸型シリンドリカルレンズ７Ｃによる部材加工を行う場合を示した図である。例えば、矩形の部材を切断する場合、図４（ａ）に示すように、凸型シリンドリカルレンズ７Ｃを透過するレーザにより、被加工材５に加工する。その際、被加工材５から矩形の部材を切断するために、図４（ｂ）に示すように、凸型シリンドリカルレンズ７Ｃを直線に移動させる。そして、レーザ加工装置は、凸型シリンドリカルレンズ７Ｃを移動させることにより、被加工材５に対して矩形を描くようにレーザを照射する。または、レーザ加工装置は、凸型シリンドリカルレンズ７Ｃを固定し、被加工材５を載せたステージそのものを矩形に移動させる、若しくはステージを移動および回転させることにより、矩形の部材を切断する。
【０００９】
そのため、同様に、移動制御やレーザ加工に要する時間がかかり、かつレンズの移動制御装置もしくは被加工材の移動制御装置を搭載する必要が生じてしまい、装置全体が大規模なものになるという問題があった。
そこで、本発明は、上記事情に鑑み、レーザ加工する時間を削減し、かつレーザ加工装置に不要な移動制御装置を搭載することなく小型化を可能とするレンズおよびそのレンズを搭載したレーザ加工装置を提供することを目的とする。
【課題を解決するための手段】
【００１０】
本発明のレンズは、被加工材に対して、両端を閉じた線分からなる円形を除く任意形状の部材を加工するレーザ加工装置に搭載されるレンズにおいて、凸型シリンドリカルレンズのシリンドリカル面の頂点を結んだ線が任意形状と同一の形となるように、凸型シリンドリカルレンズを閉路形成されるように成形されるとともに、任意形状と同一の形となる中空部と、任意形状の部材の所定部位の曲率が、当該所定部位以外の曲率に比して高い場合に際して所定部位の領域に対してレーザ加工装置の光源からの光を導光しないよう付加した遮光材と、を有するものである。
【００１１】
「頂点」とは、凸型シリンドリカルレンズのシリンドリカル面の最高点である。
【００１２】
「凸型シリンドリカルレンズのシリンドリカル面の頂点を結んだ線が任意形状と同一の形」とは、レーザ加工装置が加工すべき両端を閉じた線分からなる任意形状の部材の形状と、凸型シリンドリカルレンズのシリンドリカル面の頂点を結んだ線が同一または略同一の形状になることをいう。例えば、レーザ加工装置が円形からなる部材を加工する場合においては、凸型シリンドリカルレンズのシリンドリカル面の頂点を結んだ線が円形となる。また、凸型シリンドリカルレンズのシリンドリカル面の頂点を結んだ線が全体として円形であればよく、多少の凹凸による部分的な相違があったとしてもよい。また、レーザ加工装置が円形からなる部材を加工する場合において、凸型シリンドリカルレンズのシリンドリカル面の頂点を結んだ線が形として円形であればよいのであって、必ずしも大きさが同一でなくてもよい。
【００１３】
「成形」とは、レンズを形づくることをいう。具体的には、金型を用いて成型されるものであってもよいし、研磨により成形されるものであってもよいし、エッチングにより成形されるもの等が挙げられる。
【００１４】
「加工」とは、被加工材に対して、任意形状の部材を切断することをいう。具体的には、両端を閉じた線分からなる円形を除く任意形状の部材を切断する。または、被加工材に対して、任意形状の部材の形状に削る等の場合が挙げられる。
【００１５】
本発明のレーザ加工装置は、被加工材に対して、光源から照射した光によって両端を閉じた線分からなる円形を除く任意形状の部材を加工するレーザ加工装置において、凸型シリンドリカルレンズのシリンドリカル面の頂点を結んだ線が任意形状と同一の形となるように、凸型シリンドリカルレンズを閉路形成されるように成形されるとともに、任意形状と同一の形となる中空部と、任意形状の部材の所定部位の曲率が、当該所定部位以外の曲率に比して高い場合に際して所定部位の領域に対して光源からの光を導光しないよう付加した遮光材と、を有するレンズを搭載しているものである。
【００１６】
本発明のレーザ加工装置のレンズは、凸型シリンドリカルレンズのシリンドリカル面で形成される光源から照射される光を入射する入射面部と、光源から照射される光を出射する出射面部と、入射面部及び出射面部の外側面に位置する外側面部と、入射面部及び出射面部の内側面に位置する中空面部とを備える中空レンズであってもよい。
【００１７】
本発明のレーザ加工装置のレンズは、中空レンズの中空部分に対して、遮光板を設けるものであってもよい。
【００１８】
「遮光板」とは、光源の光がレンズを透過しないようにするものである。例えば、フィルム状又は薄板状のものであってもよい。具体的には金属シートであってもよい。また、レンズに金属物質を塗布されるものであってもよい。
【００１９】
本発明のレーザ加工装置は、光源の光をレンズに対して照射するに際し、中空レンズの中空部分には光を照射しないように制御するものであってもよい。
【００２１】
本発明のレーザ加工装置の遮光材は、任意形状の部材の所定部位の曲率が、当該所定部位以外の曲率に比して高い場合に際し、入射面または出射面における外側面部側の略半分のレンズの領域に対して、光源から光が導光しないようレンズに付加したものであってもよい。
【発明の効果】
【００２２】
本発明のレンズおよびそのレンズに搭載されたレーザ加工装置によれば、被加工材に対して、円形を除く任意形状の部材を加工するものであって、凸型シリンドリカルレンズのシリンドリカル面の頂点を結んだ線が上記任意形状と同一の形となるように、凸型シリンドリカルレンズを閉路形成されるように成形されたレンズを用いるため、被加工材に対して、両端を閉じた線分からなる任意形状の部材をレーザ加工するに際し、レーザ加工する時間を削減し、かつレーザ加工装置自体の小型化可能とすることができる。
【００２３】
本発明のレンズおよびそのレンズを搭載したレーザ加工装置のレンズは、凸型シリンドリカルレンズのシリンドリカル面で形成されるレーザ加工装置の光源から照射される光を入射する入射面部と、光源から照射される光を出射する出射面部と、入射面部及び出射面部の外側面に位置する外側面部と、入射面部及び出射面部の内側面に位置する中空面部を備える中空レンズである際には、レーザ加工するべき円形を除く任意形状の部材を加工すべき領域に対して、光源の光を集光することができる。
【００２４】
本発明のレンズおよびそのレンズを搭載したレーザ加工装置のレンズは、中空レンズの中空部分に対して、遮光材を設ける際には、レーザ加工するべき円形を除く任意形状の部材を加工すべき領域外に対して、光源の光を照射しないようにすることができる。
【００２５】
本発明のレンズおよびそのレンズを搭載したレーザ加工装置は、光源の光をレンズに対して照射するに際し、中空レンズの中空部分には光を照射しないように制御する際には、レーザ加工すべき任意形状の部材に対して、レーザ加工装置の光源の光エネルギーを効率的に照射することができる。
【００２６】
本発明のレンズおよびそのレンズを搭載したレーザ加工装置のレンズは、任意形状の部材の所定部位の曲率が、当該所定部位以外の曲率に比して高い場合に際し、入射面または出射面における外側面部側の略半分のレンズの領域に対して、光源から光が透過しないよう遮光材を付加する際には、当該曲率が高い所定部位外に対して、光源の光を放射しないようにすることができる。
【図面の簡単な説明】
【００２７】
【図１】本発明の実施形態におけるレーザ加工装置を示す図
【図２】従来の実施形態における両凸レンズによるレーザ加工を説明するための図
【図３】凸型シリンドリカルレンズの一例を示した図
【図４】従来の実施形態における凸型シリンドリカルレンズによるレーザ加工を説明するための図
【図５】本発明の実施形態における成形される円形レンズを説明するための図
【図６】本発明の実施形態における円形レンズの平面図
【図７】本発明の実施形態における円形レンズを入出射するレーザとの関係を示した図
【図８】本発明の実施形態における一連の処理工程を示した図
【図９】本発明の実施形態における円形レンズを透過した光の集光結果を示した図
【図１０】本発明の実施形態における遮光材を付加した円形レンズを示した図
【図１１】本発明の実施形態における円形レンズに入射する光制御を示したシステム図
【図１２】本発明の実施形態における成形される三角レンズを説明するための図
【図１３】本発明の実施形態における三角レンズを入出射する光との関係を示した図
【図１４】本発明の実施形態における遮光材を付加した三角レンズを示した図
【発明を実施するための形態】
【００２８】
本発明の実施の形態となるレーザ装置について、図面を参照しつつ説明する。
【００２９】
図１は、本発明のレーザ加工装置５０の概略を示す図である。このレーザ加工装置５０は、ガラスからなる被加工材５にレーザ光を照射することにより、任意形状の部材を切断するものである。レーザ加工装置５０は、ステージ１と、そのステージ１にセットされた被加工材５と、レーザ光源１０と、ビームエキスパンダ１５と、反射ミラー１９と、均一化装置２０と、円形レンズ７Ａ、制御装置３０、パーソナルコンピュータ８０（以下、ＰＣ８０という）から構成される。
【００３０】
レーザ光源１０は、レーザ光を照射するものである。また、ビームエキスパンダ１５は、レーザ光源１０から照射されたレーザ光の径を拡大して放射するものである。さらに、均一化装置２０は、径の拡大されたレーザ光を多重反射して均一化して照射するもので、例えばロッドレンズやライトパイプ等である。円形レンズ７Ａは、反射ミラー１９により反射されたレーザ光を透過するものである。制御装置５０は、光源１０の出力、ステージ１の位置等を制御するものである。
【００３１】
ここで、本発明の実施形態におけるレンズについて、詳細に説明する。本発明の実施形態における特有のレンズは、被加工材５に対して、任意形状の部材を加工するレーザ加工装置５０に搭載されるものであって、凸型シリンドリカルレンズのシリンドリカル面の頂点を結んだ線が任意形状と同一の形となるように、凸型シリンドリカルレンズを閉路形成されるように成形されたものである。
【００３２】
本発明の実施形態におけるレンズとして、円形レンズ７Ａを例に説明する。図５は、円形レンズ７Ａの構造を説明するための図である。図５は、円形レンズ７Ａの製造工程を示すものではなく、円形レンズ７Ａが最終的にどのような形態になるかをわかりやすく示したものである。
【００３３】
円形レンズ７Ａは、図５（ａ）に示す凸型シリンドリカルレンズのシリンドリカル面の頂点を結んだ線が円形になるように成形する。図５（ａ）の凸型シリンドリカルレンズを変形させ、図５（ｂ）のように半円を描き、最後に図５（ｃ）のようにほぼ円形を描き、最後に凸型シリンドリカルレンズのシリンドリカル面の頂点を結んだ線が直線に配置されるように、凸型シリンドリカルレンズを閉路形成したものである。
【００３４】
本発明の実施形態における特有のレンズ（円形レンズ、後述する三角レンズ等）は、例えば、金型を用いて成型されるものである。また、研磨により成形されるものであってもよいし、エッチングにより成形されるものであってもよい。
【００３５】
本発明の実施形態における特有のレンズ（円形レンズ、後述する三角レンズ等）は、最終的にそれぞれのレンズの所望とする形状に成形されるのであれば、どのような手法により作製されてもよい。図６は、円形レンズ７Ａの平面図である。図６に示すように、凸型シリンドリカルレンズの中心からシリンドリカル面に対して垂直な線ＧＬそれぞれの中心点（シリンドリカル面の頂点）にあたるシリンドリカル面の頂点を結んだ線を円形にすることで、被加工材５に対して、半径ｒの円形からなる部材を加工することができる。
【００３６】
図７は、円形レンズ７Ａに入出射するレーザ光Ｌとの関係を示した図である。円形レンズ７Ａは、凸型シリンドリカルレンズのシリンドリカル面で形成され、レーザ加工装置５０の光源１０から照射される光を入射する入射面部７０と、光源から照射される光を出射する出射面部７１と、入射面部７０及び出射面部７１の外側面に位置する外側面部７２と、入射面部７０及び出射面７１の内側面に位置する中空面部７３とを備える中空レンズである。この中空面部７３は、図７に示すように円形レンズ内側の側面部分である。
【００３７】
レーザ加工装置５０は、搭載する円形レンズ７Ａに、光源１０のレーザ光を入射面部７０に入射させ、出射面部７１から出射するものである。そのため、レーザ加工装置５０は、図６に示す円形レンズ７Ａの半径ｒ（例えば、レンズの中心から線ＧＬの中心線を結ぶ長さ）と略同一の円形部材をレーザ加工することができる。例えば、被加工材がガラスである場合、レーザ加工装置５０は、円形の部材をレーザ加工により切断することができる。具体的には、レーザ加工装置５０は、携帯電話や携帯用電子機器の保護用ガラスに対して、容易に円形形状の切断を可能とする。また、被加工材は、ガラスのみならず、プラスチック、シリコン、その他基板となる材料であってもよい。
【００３８】
次に、以上の構成のレーザ加工装置５０におけるレーザ加工処理について説明する。図８は、レーザ加工装置の部材の加工における一連の処理を示すフローチャートである。
【００３９】
第一に、オペレータが、ＰＣ８０を介して初期設定を行う（ステップ１）。具体的には、オペレータが、ＰＣ８０に対して、被加工材５の材質に応じた光源１０の光の出力レベルを設定するように指示情報を入力する。また、オペレータが、ＰＣ８０に対して、被加工材５を設置したステージ１の位置を移動させるように指示情報を入力する。オペレータがＰＣ８０に指示情報を入力することで初期設定することができるが、ＰＣ８０が自動処理により初期設定を行い、ＰＣ８０の指示情報を自動生成してもよい。
【００４０】
次に、制御装置３０は、ＰＣ８０により指令された指示情報に基づき、光源１０のレーザ照射のタイミングまたはステージ１の移動を制御する（ステップ２）。
【００４１】
光源１０は、制御装置３０の制御に基づいて、レーザ光を照射する（ステップ３）光源１０から照射されたレーザ光は、ビームエキスパンダ１５により径が拡大され、均一化装置２０により輝度分布が均一化される。そして、レーザ光は、反射ミラー１９により反射され、円形レンズ７Ａに入射する。
【００４２】
図７に示すように、円形レンズ７Ａの入射面部７０に入射されたレーザ光は、円形の部材を切断するように集光される。レーザ加工装置５０は、円形の部材の切断を行う（ステップ４）。レーザ加工装置５０は、図６に示すように、円形レンズ７０の中心と外周を基準とした半径ｒの円形にレーザ光を集光するようになり、被加工材５に対して、図９に示すような半径Ｒ（ｒ＝Ｒ、またはｒ≒Ｒ）の円形部材を切断可能とする。
【００４３】
また、円形レンズ７Ａは、図１０に示すように、レンズの中空部分に対して、遮光材を有する遮光板Ｎを付けてもよい。この遮光材を有する遮光板Ｎは、光源のレーザ光がレンズを透過しないようにするものである。例えば、フィルム状又は薄板状のものであってもよい。具体的には金属シートであってもよい。また、円形レンズ７Ａは、中空面部７３にレンズをはめ込んでもよい。その場合、遮光板Ｎは、そのレンズに金属物質を塗布されるものであってもよい。
【００４４】
また、レーザ加工装置５０は、光源のレーザ光をレンズに対して照射するに際し、中空レンズの中空部分には光を照射しないように制御することができる。具体的には、レーザ加工装置５０は、反射ミラー１９から反射されたレーザ光を導光する導光路３５と、円形レンズ７Ａの入射面部７０にのみレーザ光を入射するための光ファイバー４０を備え、円形レンズ７Ａの入射面部７０にのみレーザ光を入射するように制御できる。これにより、レーザ加工装置５０は、円形レンズ７Ａの中空面部７３にはレーザ光を照射しないように制御できる。例えば、レーザ加工装置５０は、円形レンズ７Ａの入射面部７０にのみレーザ光を入射するために反射ミラー、その他のミラーを最適に配置することにより、レーザ光を照射しないように制御できる。
【００４５】
ここで、図８に示すフローチャートの説明に戻ると、制御装置３０は、円形の部材を切断した被加工材５から新たな円形部材を切断すべきか否かを判断する。新たに円形の部材を切断する場合（ステップ５；ＹＥＳ）、制御装置３０は、ステージ１を移動させることにより、新たな円形部材を切断するための所望の位置に被加工材５を移動させる（ステップ７）。レーザ加工装置５０に搭載されたＰＣ８０内にインストールされた画像処理機能は、被加工材５のマーカされた位置を認識処理することができ、その認識結果に応じて、制御装置３０は、ステージの移動を自動に行ってもよい。新たに円形の部材を切断しない場合（ステップ５；ＮＯ）、制御装置５０は、異なる形状の部材を切断するか否かを判断する。
【００４６】
異なる形状の部材を被加工材５より切断する場合（ステップ６；ＹＥＳ）、レンズを変更することができる。そして、円形レンズ７Ａ以外のレンズに変更できる（ステップ８）。一方、異なる形状の部材を被加工材５より切断しない場合（ステップ６；ＮＯ）、処理は完了する。
【００４７】
レーザ加工装置５０は、レンズ変換装置（不図示）を備えており、上述したように円形レンズ７Ａ以外のレンズに変更することができる構成にしてもよい。例えば、レーザ加工装置５０は、図１２に示すような三角レンズ７Ｄを備えるものであってもよい。
【００４８】
図１２は、三角レンズ７Ｄの構造を説明するための図である。三角レンズ７Ｄは、図１２に示すように、両端を閉じた線分が三角形の部材である。三角レンズ７Ｄは、凸型シリンドリカルレンズのシリンドリカル面の頂点を結んだ線ＣＬが三角形に配置するように成形されたものである。図１２に示すように、凸型シリンドリカルレンズの中心からシリンドリカル面に対して垂直な線ＧＬそれぞれの中心点（シリンドリカル面の頂点）にあたるシリンドリカル面の頂点を結んだ線ＣＬを三角形になるように、凸型シリンドリカルレンズを閉路形成したものである。図１２は、三角レンズ７Ｄの平面図であるが、凸型シリンドリカルレンズのシリンドリカル面の頂点を三角形にするように成形することで、被加工材５に対して、三角形からなる部材を切断することができる。
【００４９】
図１３は、三角形レンズ７Ｄに入出射するレーザ光との関係を示した図である。三角形レンズ７Ｄは、凸型シリンドリカルレンズのシリンドリカル面で形成されるレーザ加工装置５０の光源１０から照射されるレーザ光を入射する入射面部７０と、光源から照射される光を出射する出射面部７１と、入射面部７０及び出射面部７１の外側面に位置する外側面部７２と、入射面部７０及び出射面７１の内側面に位置する中空面部７３とを備える中空レンズである。
【００５０】
レーザ加工装置５０は、光源１０のレーザ光を三角レンズ７Ｄの入射面部７０に透過させ、出射面部７１を透過することで光を集光させるものであるため、図１２に示す三角形レンズ７ＤのラインＣＬと同一の三角形部材をレーザ加工することができる。例えば、被加工材の材質がガラスである場合、レーザ加工装置５０は、三角形の部材をレーザ加工により切断することができる。例えば、レーザ加工装置５０は、携帯電話や携帯用電子機器の保護用ガラスに対して、容易に三角形状の切断を可能とする。
【００５１】
レーザ加工装置５０のレンズは、任意形状の部材の所定部位の曲率が高い場合に際し、入射面部７０または出射面部７１における外側面部７２側に位置する所定部位の領域に対して、光源から光が導光しないよう遮光材を付加することができる。例えば、図１４に示すように、三角レンズ７Ｄの角のように三点の曲率が高い場合に、入射面部上７０または出射面部７１上における外側面部７２側に位置する曲率の高い部位の所望の領域に対して、光源１０から光が導光しないように、遮光材Ｍを付加する。この遮光材Ｍにより、光源１０の光がレンズから出射しないようにすることができる。なお、上述した三角レンズ以外に、星型レンズ、ハート型レンズ、Ｓ型レンズ、その他の形状からなるレンズの曲率が高い部位の領域に遮光材を付加してもよい。
【００５２】
なお、三角レンズ７Ｄは、円形レンズ７Ａと同様に、中空面部７３に遮光材Ｍを備えてもよい。
【００５３】
レーザ加工装置５０は、レンズ変換装置（不図示）を備え、三角形レンズ７Ｄに変更することで、被加工材５に対して、三角形状の部材を切断できる。また、レーザ加工装置５０は、上述した円形レンズ、三角レンズ以外に、星型レンズ、ハート型レンズ、Ｓ型レンズ、その他の形状からなるレンズであってもよい。
【００５４】
なお、レーザ加工装置は、レンズ変換装置（不図示）を備えずに、円形レンズ７Ａまたは三角形レンズ７Ｄのいずれかのみを備えるものであってもよい。
【００５５】
本発明の実施形態におけるレンズおよびそのレンズに搭載されたレーザ加工装置５０によれば、凸型シリンドリカルレンズのシリンドリカル面の頂点を結んだ線が任意形状と同一の形となるように、凸型シリンドリカルレンズを閉路形成されるように成形されたレンズを用いるため、被加工材に対して、任意形状の部材をレーザ加工するに際し、レーザ加工する時間を削減する。また、レーザ加工装置５０は、任意形状の部材をレーザ加工するに際し、レンズを回転および移動させる機構または、ステージ１を回転および移動させる機構を設ける必要がないため、レーザ加工装置自体の小型化可能とすることができる。
【００５６】
本発明の実施形態におけるレンズおよびそのレンズを搭載したレーザ加工装置５０のレンズは、凸型シリンドリカルレンズのシリンドリカル面で形成されるレーザ加工装置５０の光源から照射される光を入射する入射面部７０と、光源から照射される光を出射する出射面部７１と、入射面部７０及び出射面部７１の外側面に位置する外側面部７２と、入射面部７０及び出射面部７１の内側面に位置する中空面部７３を備える中空レンズである際には、レーザ加工するべき任意形状の部材を加工すべき領域に対して、光源の光を集光することができる。
【００５７】
本発明の実施形態におけるレンズおよびそのレンズを搭載したレーザ加工装置５０のレンズは、中空レンズの中空部分に対して、遮光板を設ける際には、レーザ加工するべき閉曲線からなる任意形状の部材を加工すべき領域外に対して、光源の光を照射しないようにすることができる。
【００５８】
本発明の実施形態におけるレンズおよびそのレンズを搭載したレーザ加工装置５０は、光源の光をレンズに対して照射するに際し、中空レンズの中空部分には光を照射しないように制御する際には、レーザ加工すべき任意形状の部材に対してレーザ加工装置の光源の光エネルギーを効率的に照射することができる。
【００５９】
本発明の実施形態におけるレンズおよびそのレンズを搭載したレーザ加工装置５０のレンズは、両端を閉じた線分からなる円形を除く任意形状の部材の所定部位の曲率が高い場合に際し、入射面部または出射面部における外側面部側に位置する所定部位の領域に対して、光源から光が導光しないよう遮光材を付加する際には、当該曲率が、当該所定部位以外の曲率に比して高い所定部位外に対して、光源の光を集光しないようにすることができる。例えば、図１４に示すように、三角レンズ７Ｄの角のように三点の曲率が高い場合に、入射面部上７０または出射面部７１上における外側面部７２側に位置する曲率の高い部位の所望の領域に対して、光源から光が導光しないように、遮光材Ｍを付加する。この遮光材Ｍにより、光源１０の光がレンズから出射しないようにすることができる。なお、上述した三角レンズ以外に、星型レンズ、ハート型レンズ、その他の形状からなるレンズの曲率が高い部位の領域に遮光材を付加してもよい。
【符号の説明】
【００６０】
ＣＬ  中心線
ＧＬ  シリンドリカル面の線
Ｌ    レーザ光
Ｍ    遮光材
Ｎ    遮光板
ｒ    半径（レンズ）
Ｒ    半径（集光した光）
１    ステージ
５    被加工材
７Ａ  円形レンズ
７Ｂ  両凸レンズ
７Ｃ  凸型シリンドリカルレンズ
７Ｄ  三角レンズ
１０  光源
１５  ビームエキスパンダ
１９  反射ミラー
２０  均一化装置
３０  制御装置
３５  導光路
４０  光ファイバー
５０  レーザ加工装置
７０  入射面部
７１  出射面部
７２  外側面部
７３  中空面部
【図１】
0006002942.tif 000002
【図２】
0006002942.tif 000003
【図３】
0006002942.tif 000004
【図４】
0006002942.tif 000005
【図５】
0006002942.tif 000006
【図６】
0006002942.tif 000007
【図７】
0006002942.tif 000008
【図８】
0006002942.tif 000009
【図９】
0006002942.tif 000010
【図１０】
0006002942.tif 000011
【図１１】
0006002942.tif 000012
【図１２】
0006002942.tif 000013
【図１３】
0006002942.tif 000014
【図１４】
0006002942.tif 000015